(57)【要約】【課題】  通常の１点接触型コンタクトであっても瞬断が発生することがないトレイタイプのカードコネクタを提供する。【解決手段】  カードを収容できるトレイと、前記トレイが移動可能な空間を有するコネクタ本体と、前記コネクタ本体に設けられた複数のコンタクトとを備えるトレイタイプのカードコネクタであって、前記コネクタ本体に、トレイに収容されているカードにのみ当接する付勢部材を設け、前記トレイの壁部の内側に、カードと当接するリブを設ける。【選択図】    図２
2006252823.tif 000002
【特許請求の範囲】
【請求項１】
カードを収容できるトレイと、
前記トレイが移動可能な空間を有するコネクタ本体と、
前記コネクタ本体に設けられた複数のコンタクトと、を備えるトレイタイプのカードコネクタであって、
前記コネクタ本体に、トレイに収容されているカードにのみ当接する付勢部材を設け、
前記トレイの壁部の内側に、カードと当接するリブを設けることを特徴とするトレイタイプのカードコネクタ。
【請求項２】
前記コネクタ本体は、インシュレータとカバー部材とで形成され、
前記付勢部材は、前記カバー部材に設けられていることを特徴とする請求項１に記載のトレイタイプのカードコネクタ。
【請求項３】
前記カバー部材は、金属板からなり、かつ前記付勢部材が該カバー部材から切り起こされ設けられることを特徴とする請求項２に記載のトレイタイプのカードコネクタ。
【請求項４】
前記カバー部材には、ロック爪が設けられ、
前記トレイには、前記ロック爪に係合する係合用開孔を有する弾性変形可能なロック具が設けられ、
前記ロック爪と前記ロック具とでトレイをロックするトレイロック機構を構成することを特徴とする請求項２に記載のトレイタイプのカードコネクタ。
【請求項５】
前記コンタクトの先端部を載せて上下動可能なスライダをさらに備え、
前記トレイの左右の側壁部後方端に傾斜面が形成されるとともに、トレイ挿入完了時に前記スライダが緩く嵌合できる切欠部が前記左右の側壁部に形成され、該トレイの後方への移動により、前記スライダを上昇、下降させ得ることを特徴とする請求項４に記載のトレイタイプのカードコネクタ。
【発明の詳細な説明】
【技術分野】
【０００１】
本発明は、携帯電話機や電話機、ＰＤＡ（personal  digital  assistance）、携帯型オーディオ、カメラ等の電子機器や情報端末機器等に取付けられるトレイタイプのカードコネクタに関し、より詳細には、振動や衝撃時における瞬断防止機構を備えるトレイタイプのカードコネクタに関する。
【背景技術】
【０００２】
近年、携帯電話機や電話機、ＰＤＡ（personal  digital  assistance）、携帯型オーディオ、カメラ等の電子機器や情報端末機器等においては、ＩＣチップと呼ばれるＩＣ部品が組込まれたＩＣカードやＳＤカード等のカードの利用が非常に増大し、このようなＩＣカードやＳＤカード等のカードを挿入するカードコネクタが広く求められている。
【０００３】
この種のカードコネクタにおいて、カードコネクタの落下衝撃時のカードの飛び出しを防止し、傾斜したり、ねじれたりした状態でカードが挿抜される（その結果、カードが破損する恐れがある。）ことを避けるとともに、カードの姿勢を正しく保持し、カードの外部端子とコネクタのコンタクトとの接触を確実にするために、例えば、特許文献１に示されるような、カードが受容されるトレイを利用したトレイタイプのカードコネクタが提案されている。
【０００４】
さらに、この種のカードコネクタにおいては、振動や衝撃により、カードコネクタのコンタクトと該カードコネクタに挿入されるカードの外部接点としてのパッドとの接続が瞬間的に絶たれる状態（以下、このような状態を「瞬断」という。）が起きる。このような瞬断が生じると電子機器や端末機とカードとの間の交信が絶たれることになり、更新時のデータが失われる。最悪の場合、瞬断以降の電子機器などとカードとの間の交信が不能となる恐れもある。これを確実に防止するために、図８に示されるように、カードコネクタのコンタクトの接点部を２点接触型とすることが提案されている（特許文献２参照）。
【０００５】
図８において、カードコネクタ（不図示）の２点接触型コンタクト１００は、２つの接点部１０１ａ、１０２ａ、該２つの接点部１０１ａ、１０２ａにそれぞれに続く２つの弾性部１０１ｂ、１０２ｂ、及びこれら２つの弾性部１０１ｂ、１０２ｂを支持する１つの固定部１０３を有し、２つの接点部１０１ａ、１０２ａが挿入されるカードの１つのパッド（不図示）に接触するように構成されている。
【０００６】
このような２点接触型コンタクトにおいては、接点部１０１ａ及びこれに続く弾性部１０１ｂとで構成される切片と接点部１０２ａ及びこれに続く弾性部１０２ｂとで構成される切片とは、例えば各切片の長さ、幅、厚さなどを変えることにより、パッドへの接触力を変えるとともに固有周波数を変える。それにより、振動や衝撃が電子機器等に、したがってカードコネクタに加えられた時、接点部１０１ａ、及び１０２ａが１つのパッドから同時に離れることがない。
【０００７】
【特許文献１】特開２０００−１４８９２７号公報
【特許文献２】特開２００２−２１６９１４号公報
【発明の開示】
【発明が解決しようとする課題】
【０００８】
トレイタイプのカードコネクタにおいては、カードがトレイのカード収容部内に収容され、カードコネクタ内に挿入されるので、コンタクトを２点接触型にすることで、ほぼ瞬断を防止できることになる。
【０００９】
しかしながら、近年、たとえば、ＳＩＭ（Subscriber Identify Module）カードのように、カードの大きさが非常に小型化してくると、該カードのパッドのピッチが小さくなっている。これに対し、２点接触型コンタクトは、接点部を２つ持ち、この２つの接点部がパッドとの電気的接触を確実にすべく所定の接触圧を維持できなければならない。そのためには、コンタクトは所定の幅が必要であり、カードのパッドのピッチに合わせて幅を小さくすることに限度がある。
【００１０】
そこで、コンタクトは従来型の１点接触型を採用せざるを得ないが、トレイタイプのカードコネクタを採用することで、かなりの確率で上述のような瞬断を防止できるとしても、完全ではない。その理由として以下のことが考えられる。トレイのカード収容部は、カードを確実に収容できるようにするために、カードの公称寸法に対する公差を吸収すべく、カード収容部の寸法に対しても若干の（例えば、カードの幅、長さ又は高さ（公称寸法）に対して＋０．５ｍｍ程度の）公差が許されている。この公差の存在により、トレイ内に収容されたカードは、全てではないが、左右、前後又は上下に動き得る余地があることになる。そうであるとすると、振動や衝撃が、電子機器などに、したがって、カードコネクタに、加えられた時、カードがトレイ内でがたつくことにより、瞬断が発生する恐れがある。
【００１１】
本発明の目的は、上記問題点に鑑み、トレイタイプのカードコネクタにおいて、通常の１点接触型コンタクトであっても瞬断が発生することがないトレイタイプのカードコネクタを提供することにある。
【課題を解決するための手段】
【００１２】
上記目的を達成するために、本発明に係るトレイタイプのカードコネクタは、カードを収容できるトレイと、前記トレイが移動可能な空間を有するコネクタ本体と、前記コネクタ本体に設けられた複数のコンタクトとを備えるトレイタイプのカードコネクタであって、前記コネクタ本体に、トレイに収容されているカードにのみ当接する付勢部材を設け、前記トレイの壁部の内側に、カードと当接するリブを設けることを特徴としている。
【００１３】
また、本発明に係るトレイタイプのカードコネクタは、前記コネクタ本体は、インシュレータとカバー部材とで形成され、前記付勢部材は、前記カバー部材に設けられていてもよいし、前記カバー部材は、金属板からなり、かつ前記付勢部材が該カバー部材から切り起こされ設けられていてもよい。
【００１４】
さらに、本発明に係るトレイタイプのカードコネクタは、前記カバー部材には、ロック爪が設けられ、前記トレイには、前記ロック爪に係合する係合用開孔を有する弾性変形可能なロック具が設けられ、前記ロック爪と前記ロック具とでトレイをロックするトレイロック機構を構成することが好ましい。
【００１５】
さらに、前記コンタクトの先端部を載せて上下動可能なスライダをさらに備え、前記トレイの左右の側壁部後方端に傾斜面が形成されるとともに、トレイ挿入完了時に前記スライダが緩く嵌合できる切欠部が前記左右の側壁部に形成され、該トレイの後方への移動により、前記スライダを上昇、下降させることができる。
【発明の効果】
【００１６】
本発明のトレイタイプのカードコネクタは、カバー部材に付勢部材を、また、トレイにリブを備えることにより、装着されるカードをしっかりと固定できるので、カードコネクタのコンタクトとカードのパッドとの瞬断が防止できる。
【００１７】
ロック爪とロック具とからなるロック機構を備えることにより、カードの固定を確実にするとともに、トレイの抜けを防止できる。
【００１８】
さらに、スライダを備えることで、コンタクトやカードのパッドの削れが防止される。
【発明を実施するための最良の形態】
【００１９】
以下、図１〜７を用いて本発明に係る実施態様を説明する。図１は、本発明に係るトレイタイプのカードコネクタであって、このカードコネクタにカードを挿入する直前の状態を示しており、（ａ）は、上面図、（ｂ）は右側面図、（ｃ）は、（ａ）のＡ−Ａ断面図である。図２は、図１に示されるトレイタイプのカードコネクタの斜視図である。図３は、図１のトレイタイプのカードコネクタであって、このカードコネクタにカードを挿入した後の状態を示しており、（ａ）は、上面図、（ｂ）は右側面図、（ｃ）は、（ａ）のＣ−Ｃ断面図である。図４は、図１のトレイタイプのカードコネクタの板金カバーの斜視図である。図５は、カード前端とトレイ前壁部との関係を示す図であり、（ａ）は、図１（ｃ）の円Ｂで囲まれた部分の拡大図であり、（ｂ）は、図３（ｃ）の円Ｄで囲まれた部分の拡大図である。図６は、トレイロック機構の動作を説明するための、ロック中の部分拡大断面図であり、図７は、図６と同様、トレイロック機構の動作を説明するための、ロック直前又は、ロック解除直後の部分拡大断面図である。なお、本明細書においては、図１（ａ）において、右（方向）を前（方向）、左（方向）を後（方向）といい、上（方向）を左（方向）、下（方向）を右（方向）といい、図１（ｂ）において上、下（方向）を上、下（方向）という。
【００２０】
カードコネクタ１は、概ね、インシュレータ１０、板金カバー２０、トレイ３０、複数のコンタクト４０、トレイロック機構５０、及びスライダ６０を備えている。
【００２１】
インシュレータ１０は、ＬＣＰ（液晶ポリマー）や９Ｔナイロンのような、絶縁性で融点の高い合成樹脂材料からなる。インシュレータ１０は、上壁１１、後壁１２、及び左右の側壁（不図示）を有し、下方及び前方が開放されている。上壁１１には、図１（ａ）、図２に示されるように、その前端において切欠凹部１３を形成され、また後方寄りに後述するスライダ６０が上下動するための窓１５が形成され、さらに、その後端と後壁との間に複数の端子用切欠１４が形成されている。なお、１６は、切欠凹部１３の底辺に設けられている端子用切欠、１８は、左右側壁に形成されているスライダ６０の上下動を案内するガイド用凹部、１９は、ガイド用凹部１８の底辺に形成される、スライダ６０の下方への移動を規制する停止用段部である。
【００２２】
インシュレータ１０を覆うカバー部材としての板金カバー２０は、金属製の比較的薄い板からなり、図４に明瞭に示されるように、底壁２１、右側壁２３ａ、左側壁２３ｂを有し、後方は、付勢部材としての一対の押圧バネ２２ａ、２２ｂが底壁２１後端から切り起こされることで塞がれており、実質上、上方及び前方が開放している。板金カバー２０の左側壁２３ｂ前端には、底壁２１から延びる切り起こし片を略ロ字状に折り曲げることで、該切り起こし片先端に、後述するトレイロック機構５０の一部を構成するロック爪２４が形成される。したがって、該ロック爪２４は、左側壁２３ｂと平行に、かつ下方に向かって延在する。また、付勢部材としての一対の押圧バネ２２ａ、２２ｂは、その自由端が互に向かい合い、前方から後方に向かって末広がり（ハ字状）となるように配置される。また、一対の押圧バネ２２ａ、２２ｂは、後述するトレイ３０の底板３３には当接せず、トレイ３０に収容されているカード８０にのみ当接するように形成される。それにより、一対の押圧バネ２２ａ、２２ｂの自由端が挿入されるカードに当接した後、カードがさらに挿入されると、一対の押圧バネ２２ａ、２２ｂは、カード８０のみを前方に押し返すように作用する。なお、２５ａ、２５ｂは、それぞれ右側壁２３ａ及び左側壁２３ｂから互に向かって折り曲げられた固定金具であり、２６は、インシュレータ１０の切欠凹部１３に対応して設けられた該切欠凹部１３と同様の切欠凹部である。固定金具２５ａ、２５ｂを介してカードコネクタ１が電子機器等のボード（不図示）に半田付けされる。さらに、２７ａ、２７ｂは、一対の突起であり、トレイ３０の移動を案内するとともにトレイ３０の抜けを防止する。
【００２３】
板金カバー２０は、図１（ｂ）、（ｃ）に示されるように、上記インシュレータ１０を覆うようにして重ね合わされ、それにより、前方が開放した空間７０を有する筐体を形成する。該空間７０内には、後述するトレイ３０が前後方向に移動自在に取り付けられる。
【００２４】
本実施例においては、カバー部材を板金製としているがこれに限られるものではなく、インシュレータと同じ部材又は異なる合成樹脂で作られてもよい。また、カバーとインシュレータとが一体成形で作成されてもよい。
【００２５】
トレイ３０は、インシュレータ１０と同じか異なる絶縁性合成樹脂からなり、上記したように、インシュレータ１０と板金カバー２０とで形成される筐体の空間７０内を前後方向に摺動できるように、該空間７０内に設けられる。
【００２６】
トレイ３０は、概ね、前壁部３１、後壁部３５、右側壁部３４ａ、左側壁部３４ｂ、底板３３及びトレイロック機構５０の一部を構成するロック金具３７を備えている。
【００２７】
トレイ３０の前壁部３１は、トレイ３０が、空間７０内に完全に入り込まないように左右の側壁部より一段高く形成されている。前壁部３１の内側（後方面）には、底板３１上面からカード８０の厚さ分上方の左右２箇所にリブ３２が突出形成される。本実施態様では、前壁部３１は、左右両端部近傍のみに形成され、中央部分が切り欠かれているが、これはカードの取出しを容易にするための構成であり、前壁部３１は、左右幅方向全体にわたって延在していてもよい。
【００２８】
トレイ３０の後壁部３５は、前壁部３１とトレイ３０に収容される（すなわち、カードコネクタ１に挿入される）カードの前後方向の長さより若干長い距離分離れて形成され、本実施形態の前壁部３１と同様、左右両端部近傍にのみ形成される。
【００２９】
トレイ３０の右側壁部は、図１（ａ）、（ｂ）、図２に示されるように、不連続であり、前方から第１右側壁３４ａ１、第２右側壁３４ａ２、第３右側壁３４ａ３、の３つの壁で形成されている。これらの側壁の高さは、空間７０の高さより若干低く、カード８０の厚さより若干高く形成される。第１右側壁３４ａ１の前方側は、前壁部３１に接続し、該前壁部３１との接続部分で傾斜壁３９を形成している。該傾斜壁３９は、カード８０の誤挿入を防止するためのものである。第２右側壁３４ａ２は、トレイ３０が空間７０内に完全に装着されたとき、後述するスライダ６０の右開孔６１ａ内に緩くはまり込む大きさに設けられている。なお、第２右側壁３４ａ２の前方端は、傾斜面として形成されている。第３右側壁３４ａ３の前方及び後方端も、傾斜面として形成されている。さらに、第３右側壁３４ａ３の後方端は、後壁部３５より少し後方にまで延在していることが好ましい（図１（ｃ）参照）。また、第１右側壁３４ａ１の後方端と第３右側壁３４ａ３の前方端との間の距離は、後述するスライダ６０の前後方向の長さより若干長い。すなわち、第１右側壁３４ａ１後方端と第３右側壁３４ａ３の前方端との間は、スライダ６０が緩く嵌まり込む切欠部として機能する。
【００３０】
トレイ３０の左側壁部は、右側壁部と同様不連続であり、前方から第１左側壁３４ｂ１、第２左側壁３４ｂ２、第３左側壁３４ｂ３、の３つの壁で形成されている。これらの側壁の高さは、空間７０の高さより若干低く、カード８０の厚さより若干高く形成される。
【００３１】
第１左側壁３４ｂ１の前方側は、前壁部３１に接続し、該前壁部３１との接続部分外側（左側）に、トレイロック機構５０を構成するロック金具３７及びロック金具支持部材３８が設けられる。ロック金具３７は、１つの細長い金属片からなり、押圧操作部３７ａ、弾性変形部３７ｃ、係合用開孔３７ｂ、固定部３７ｄ、及び開孔３７ｅを有している。押圧操作部３７ａは、押圧操作を容易にするため弾性変形部３７ｃから上方に逆Ｕ字状に突出形成されている。弾性変形部３７ｃは、通常第１左側壁３４ｂ１に沿って前後方向水平に延在し、押圧操作部３７ａを押し下げることで下方に変形する。係合用開孔３７ｂは、弾性変形部３７ｃ前方に設けられており、トレイ３０が空間７０内に完全に装着されたとき、上記板金カバー２０に形成されているロック爪２４に係合する。この構成により、トレイ３０は、空間７０からの抜け落ち又は飛び出しが防止される。固定部３７ｄは、弾性変形部３７ｃ後方側で折り曲げられ、ロック金具支持部材３８に形成される取り付け孔内に圧入、固定される。開孔３７ｅは、係合用開孔３７ｂの後方であって、弾性変形部３７ｃの途中から固定部３７ｄへの折り曲げ部分にかけて弾性変形部３７ｃの中央部に設けられた細長い開孔である。該開孔３７ｅは、ロック状態を解除し、トレイ３０を引き出すとき、ロック爪２４がロック金具３７に引っ掛からないように作用する。ロック金具支持部材３８は、トレイ３０と一体成形され、該部材３８上方には、ロック金具３７の押圧操作部３７ａ及び弾性変形部３７ｃが変形できる変形空間３８ａが形成されている。
【００３２】
第２左側壁３４ｂ２、第３左側壁３４ｂ３については、上記第２、３右側壁３４ａ２、３４ａ３と同じ形状、位置を有し、かつ第２、３右側壁３４ａ２、３４ａ３と対称的に配置されている。
【００３３】
トレイ３０の底板３３は、平坦に形成されており、その底面（下面）には、前端から後方に向けて平行な２つのガイド溝（不図示）が形成されており、このガイド溝内を板金カバー２０の底壁２１から突出形成されている一対の突起２７ａ、２７ｂが相対的に移動する。該ガイド溝は、底板３３の後端に達しない位置で終わっており、したがって、トレイ３０は、空間７０内から抜け落ちを防止することができる。また、底板３３の前方は、前壁部３１の切欠部から連続し、板金カバー２０の切欠凹部２６に対応して切欠凹部（不図示）が設けられていることが好ましい。この場合、上記２つの平行なガイド溝は、切欠凹部の外側に配置されることが理解されるであろう。
【００３４】
以上述べた前壁部３１、後壁部３５、右側壁部３４ａ、左側壁部３４ｂ、底板３３とでカード８０を収容するカード収容空間がトレイ３０に形成される。
【００３５】
複数のコンタクト４０は、挿入されるカード８０の外部接点であるパッド８１に対応して設けられる。複数のコンタクト４０は、コンタクト４０各々が前後方向に延在するように、かつ、互に平行にインシュレータ１０に固定されている。本実施態様では、カード８０の６つのパッド８１の配列に対応して、３本のコンタクト４０が互に平行に配列され、これと対向するように残りの３本のコンタクト４０が互に平行に配列されている。
コンタクト４０各々は、先端部４１、接点部４２、弾性変形部（不図示）、固定部（不図示）、及び端子部４３を有している。先端部４１は、後述するスライダ６０の凹溝６２に載置される。該先端部４１に続く接点部４２は、円弧状に下方に突出し、カード８０が存在しないとき、図１（ｃ）に示されるように下方に位置している。該接点部４２は、トレイ３０が完全に空間７０内に装着されると、カードの厚さ分押し上げられた状態で、トレイ３０に収容されているカード８０のパッド８１に所望の接圧で接触する。接点部４２に続く弾性変形部は、接点部４２が押し上げられたときその変形を吸収するとともに接点部４２を下方に付勢する。弾性変形部に続く固定部は、これに限られるものではないが、例えば、インシュレータ１０に形成されている固定溝などに圧入固定される。固定部に続く端子部４３は、インシュレータ１０に設けられている端子用切欠１４、１６から上方に突出し、カードコネクタ１が取り付けられる電子機器などのボードの印刷回路の外部接点（不図示）に半田付けされ、電気的に接続される。
【００３６】
トレイロック機構５０は、上述したように、板金カバー２０の左側壁２３ｂに設けられたロック爪２４及びトレイ３０の第１左側壁３４ｂ１に設けられたロック金具３７により構成される。本実施例では、トレイロック機構５０は、主として金属で作られているが、これに限られるものではなく、例えば、全て合成樹脂で作られていてもよい。
【００３７】
スライダ６０は、インシュレータ１０と同じ又は異なる絶縁性の合成樹脂からなる板状体であって、インシュレータ１０の側壁に設けられているガイド用凹部１８に沿って、インシュレータ１０に形成されている窓１５内を上下動する。スライダ６０には、トレイ３０の第２右側壁３４ａ２及び第２左側壁３４ｂ２が出入可能な一対の右開孔６１ａ及び左開孔６１ｂ、及び複数のコンタクト４０の先端部４１が個々に載置される複数の凹溝６２を有する。該スライダ６０は、図１（ｃ）に示されるように、カードが存在しないとき、それ自身の重力とコンタクト４０の弾性により、ガイド用凹部１８の底辺に形成されている停止用段部１９に押し付けられ、結果として、底壁２１から上方に浮いた状態で保持されている。
【００３８】
ここで、上述した構成を有するカードコネクタ１におけるカード８０の装着、取り出し動作に付き説明する。
【００３９】
最初に、図１（ａ）〜（ｃ）又は図２に示されるように、カードコネクタ１の空間７０から引き出されているトレイ３０内に、カード８０の後端をトレイ３０の後壁部に係止させるようにして、カード８０を載せる。このとき、カード８０に形成されている傾斜面とトレイ３０内に形成されている傾斜面３９とを合わせることで、カード８０は正しい姿勢をとることができる。
【００４０】
次に、図１（ａ）〜（ｃ）又は図２に示される状態から、トレイ３０を後方に押し込んでゆくと、トレイ３０の第３右側壁部３４ａ３及び第３左側壁部３４ｂ３の後方端傾斜面がスライド６０の下に入り込み、スライド６０をコンタクト４０の弾性力に抗して徐々に押し上げ、トレイ３０の押し込みが進むと、スライド６０は、左右両側壁部の高さまで上昇する。このようなスライド６０の上昇により、トレイ３０の押し込みがさらに進んでも、トレイ３０に載置されているカード８０のパッド８１がコンタクト４０の接点部４２に触れることがない。
【００４１】
カード８０の押し込みがさらに進むと、カード８０の後端が一対の押圧バネ２２ａ、２２ｂに当接する。押圧バネ２２ａ、２２ｂの弾性力に抗してトレイ３０をさらにカードコネクタ１の空間７０内に押し込むと、トレイ３０に設けられているロック金具３７の弾性変形部３７ｃが、ロック爪２４に接触し、押し下げられる。トレイ３０がカードコネクタ１の空間７０内の所定の深さまで完全に押し込まれると、ロック機構を構成しているロック爪２４が同じくロック機構を構成しているロック金具３７の係合用開孔３４ｂ内に係合する。これにより、ロック爪２４は、トレイ３０がカードコネクタ１の空間７０内から抜け出ることが防止される。
【００４２】
一方、カード８０後方端に当接している一対の押圧バネ２２ａ、２２ｂは、カード８０を前方に押し戻す。トレイ３０は、ロック機構５０によりカードコネクタ１からの抜け出しを妨げられているので、カード８０の前方端８２は、トレイ３０の前壁部３１内側に形成されているリブ３２の下に入り込み、前壁部３１の内側に押し付けられ、トレイ３０内でがたつくことができないようにその位置が固定される。
【００４３】
また、トレイ３０がカードコネクタ１の空間７０内の所定の深さまで完全に押し込まれたとき、トレイ３０の第２右側壁３４ａ２及び第２左側壁３４ｂ２は、スライダ６０に形成されている、対応する開孔６１ａ、６１ｂの真下にそれぞれ位置するので、スライダ６０は、下降することが可能となる。したがって、コンタクト４０の接点部４２も下降し、コンタクト４０は、この時点においてカード８０のパッド８１に上から接触する。
【００４４】
このように、トレイロック動作、カード固定動作、及びコンタクト接触動作が同時に実行されることで、図３（ａ）〜（ｃ）に示されるように、カードの装着が完了する。このとき、カード８０は、トレイ３０にしっかりと固定され、所望の位置に配置される。それにより、コンタクト４０がカード８０のパッド８１の上から接触することができ、従来のカード８０の挿入時におけるカード８０の後端から始まるコンタクト４０との摩擦接触がなくなり、コンタクト４０及びパッド８１の相互の削れを防止することができる。さらに、コンタクト４０とパッド８１とは、所望の接圧で電気的に確実に接触することが可能となる。
【００４５】
次に、カード８０をカードコネクタ１から取り出すときは、先ず、図７に示されるように、ロック金具３７の押圧操作部３７ａを下方に押し下げる。その結果、ロック金具３７の弾性変形部３７ｃも下方に変形し、それにより、ロック爪２４とロック金具３７の係合用開孔３７ｂとの係合が解除される。したがって、押圧操作部３７ａを押したまま、トレイ３０を前方に向かって引き出せば、トレイ３０のカードコネクタ１の空間７０から引き出すことが可能となる。このとき、一対の押圧バネ２２ａ、２２ｂの復帰力も加わり、トレイ３０の引き出しは容易に行われる。トレイ３０を前方に一杯に引き出した後（図１（ａ）〜（ｃ）参照）、板金カバー２０及びトレイ３０の前方切欠凹部を介して下からカード８０前方部分を押し上げ、傾斜させ、その後カード８０の前方部分を摘んでカード８０をトレイ３０から簡単に取り出すことができる。
【００４６】
カード８０取り出し後、カード８０が入っていない状態でトレイ３０をカードコネクタ１の空間７０内に挿入するとき、上記カード装着時と同じ操作を繰り返すが、この場合、一対の押圧バネ２２ａ、２２ｂは、カード８０がないため変形することが無く、したがって、無負荷状態のままであり、バネの寿命を縮めることもない。
【図面の簡単な説明】
【００４７】
【図１】本発明に係るトレイタイプのカードコネクタであって、このカードコネクタにカードを挿入する直前の状態を示しており、（ａ）は、上面図、（ｂ）は左側面図、（ｃ）は、（ａ）のＡ−Ａ断面図である。
【図２】図１に示されるトレイタイプのカードコネクタの斜視図である。
【図３】図１のトレイタイプのカードコネクタであって、このカードコネクタにカードを挿入した後の状態を示しており、（ａ）は、上面図、（ｂ）は左側面図、（ｃ）は、（ａ）のＣ−Ｃ断面図である。
【図４】図１のトレイタイプのカードコネクタの板金カバーの斜視図である。
【図５】カード前端とトレイ前壁部との関係を示す図であり、（ａ）は、図１（ｃ）の円Ｂで囲まれた部分の拡大図であり、（ｂ）は、図３（ｃ）の円Ｄで囲まれた部分の拡大図である。
【図６】トレイロック機構の動作を説明するための、ロック中の部分拡大断面図である。
【図７】図６と同様、トレイロック機構の動作を説明するための、ロック直前又は、ロック解除直後の部分拡大断面図である。
【図８】従来の２点接触型コンタクトを示す図である。
【符号の説明】
【００４８】
１              カードコネクタ
１０            インシュレータ
１１            上壁
２０            板金カバー
２１            底壁
２２ａ、２２ｂ  押圧バネ
２４            ロック爪
３０            トレイ
３１            前壁部
３２            リブ
３３            底板
３４ａ          右側壁
３４ｂ          左側壁
３５            後壁部
３７            ロック金具
３７ａ          押圧操作部
３８            ロック金具支持部材
４０            コンタクト
５０            トレイロック機構
６０            スライダ
７０            （カードコネクタ１の）空間
８０            カード
８１            パッド（外部接点）
【図１】
2006252823.tif 000003
【図２】
2006252823.tif 000004
【図３】
2006252823.tif 000005
【図４】
2006252823.tif 000006
【図５】
2006252823.tif 000007
【図６】
2006252823.tif 000008
【図７】
2006252823.tif 000009
【図８】
2006252823.tif 000010